(57)【要約】【課題】廃液燃焼炉からの高温ガスを冷却洗浄して発生する膨大な湿潤ガスの熱エネルギーを効果的に活用する、従来技術と比して熱効率の良い新焼却法を提供する。【解決手段】廃棄物を燃焼炉１に供給して燃焼させるとともに、前記燃焼炉１の燃焼ガスを冷却溶解液を収容した溶解冷却槽４内に噴出させ、燃焼排出ガスと冷却溶解液を直接接触させ湿ガスを発生させる廃棄物の燃焼発電方法であって、後段に背圧手段２２を有し、下方に前記湿ガスの入口を、上方に加熱される熱回収媒体の入口を有し、湿ガスと前記媒体が向流で接触する向流式熱回収塔３０に、前記湿ガスＧを供給し、加熱された熱回収媒体は、作動媒体を用いた発電設備１０に供給して、その発電設備１０を駆動することを特徴とする廃棄物の燃焼発電方法。【選択図】図１
2010210233.tif 000002
【特許請求の範囲】
【請求項１】
廃棄物を燃焼炉に供給して燃焼させるとともに、前記燃焼炉の燃焼ガスを冷却溶解液を収容した冷却槽内に噴出させ、燃焼排出ガスと冷却溶解液を直接接触させ湿ガスを発生させる廃棄物の燃焼発電方法であって、
後段に背圧手段を有し、下方に前記湿ガスの入口を、上方に加熱される熱回収媒体の入口を有し、湿ガスと前記媒体が向流で接触する向流式熱回収塔に、前記湿ガスを供給し、
加熱された熱回収媒体を、作動媒体を用いた発電設備に供給して、その発電設備を駆動することを特徴とする廃棄物の燃焼発電方法。
【請求項２】
前記背圧手段としてベンチュリースクラバーを使用する請求項１に記載の廃棄物の燃焼発電方法。
【請求項３】
前記燃焼炉と前記向流式熱回収塔との間で湿ガスの除塵を行う請求項１または２に記載の廃棄物の燃焼発電方法。
【請求項４】
廃棄物を燃焼させる燃焼炉と、
前記燃焼炉の燃焼ガスを冷却溶解液を収容した冷却槽内に噴出させ、燃焼ガスと冷却溶解液を直接接触させ湿ガスを発生させる湿ガス発生手段と、
下方に前記湿ガスの入口を、上方に熱回収媒体の入口を有し、湿ガスと前記熱回収媒体が向流で接触する向流式熱回収塔と、
向流式熱回収塔の後段に設けられた背圧手段と、
作動媒体を用いた発電設備とを備え、
前記発電設備に前記加熱された熱回収媒体を供給して、その発電設備を駆動するようにした
ことを特徴とする廃棄物の燃焼発電設備。
【請求項５】
前記背圧手段がベンチュリースクラバーである請求項４に記載の廃棄物の燃焼発電設備。
【請求項６】
前記燃焼炉と前記向流式熱回収塔との間で湿ガスの除塵手段を有する請求項４または５に記載の廃棄物の燃焼発電設備。
【発明の詳細な説明】
【技術分野】
【０００１】
本発明は、廃棄物、特に液状廃棄物を燃焼炉に供給して燃焼させるとともに、前記燃焼炉の燃焼ガスを、冷却溶解液を収容した冷却槽内に噴出させ、燃焼ガスと冷却溶解液を直接接触させ、発生する湿ガスのもっている熱に基づき発電を行う廃棄物の燃焼発電方法及びその燃焼設備に関するものである。
【背景技術】
【０００２】
液状廃棄物すなわち廃液は、その大部分が水分であって残余が有機物や無機物であり、石油化学工業を始めとするあらゆる産業分野、および民生分野において発生するが、そのうち、例えば有機物、あるいは有害物質を含有するためにそのまま系外に放出することができない廃液は、無害化処理を行わなければならない。そして、このような無害化処理の一手段として、廃液を燃焼炉（焼却炉）に噴霧して高温で燃焼させることによる高温酸化処理、すなわち焼却処理があり、大量の廃液を処理することができるため多用されている。また、ガス状廃棄物、すなわち廃ガスも前記廃液と共に、または廃ガス単独で処理される。
出願人は、特許文献１において、この廃液の燃焼方法として燃焼ガスを急冷した際に生じる湿ガスの、温度は低いが、水分を大量に含んでいるため大きな熱量を含むという特徴を利用して、前記湿ガスと炉体冷却ジャケットからの熱水の両者あるいは湿ガスのみを用いて、発電用の作動媒体として有機冷媒またアンモニア水を作動媒体としたランキンサイクルによる、発電装置を組み入れた廃液燃焼法を提案した。
【０００３】
しかし、湿ガスを作動媒体の加熱源とすると、湿ガスには非凝縮性ガスを多く含有し、伝熱速度が、一般的な液−液熱交換に比較して低い。したがって、湿ガスを直接作動媒体の加熱源とするのではなく、湿ガスとは異なる加熱源（加熱媒体）を採用する必要があった。また、発生する湿ガス中には液滴に溶解している無機物と固形物があり、伝熱促進のためにはこれらを除去する必要があった。ガス中に固形物等が存在すると、伝熱面に付着し伝熱速度を低下させる場合があるためである。
【先行技術文献】
【特許文献】
【０００４】
【特許文献１】特願２００８−１２０８８８号
【発明の概要】
【発明が解決しようとする課題】
【０００５】
廃液燃焼炉からの高温ガスを洗浄して発生する膨大な湿潤ガスの熱エネルギーを、そのまま大気に放出したり、炉体排熱として廃棄するのではなく、これを効果的に利用する、従来技術と比して熱効率の良い新焼却法を提供する。
【課題を解決するための手段】
【０００６】
〔請求項１記載の発明〕
請求項１記載の発明は、廃棄物を燃焼炉に供給して燃焼させるとともに、前記燃焼炉の燃焼ガスを冷却溶解液を収容した冷却槽内に噴出させ、燃焼排出ガスと冷却溶解液を直接接触させ湿ガスを発生させる廃棄物の燃焼発電方法であって、
後段に背圧手段を有し、下方に前記湿ガスの入口を、上方に加熱される熱回収媒体の入口を有し、湿ガスと前記熱回収媒体が向流で接触する向流式熱回収塔に、前記湿ガスを供給し、
加熱された熱回収媒体を、作動媒体を用いた発電設備に供給して、その発電設備を駆動することを特徴とする廃棄物の燃焼発電方法である。
【０００７】
（作用効果）
湿ガスのもっている熱エネルギーにより発電するに際し、本出願人が提案した特許文献１の方法では、湿ガスを直接的に又はベンチュリースクラバーにより除塵した後のガスを、発電装置に予熱器の熱源とするものである。しかし、この方法は湿ガス由来のガスと作動媒体とを熱交換器において気液で熱交換をするものであり、さらには湿ガス中には不活性ガスを含むために、大きな熱交換器が必要となり、伝熱係数も高くないために、熱交換器がより大型化し、設備費及び設置スペースが過大となる。
【０００８】
これに対し、本発明においては、後段に背圧手段を有する向流式熱回収塔において、湿ガスと熱回収媒体（水）を向流で接触させ、すなわち高圧下で湿ガスの水分を凝縮させて熱回収媒体を加熱し、この加熱された熱回収媒体と作動媒体とを熱交換器において液で熱交換するようにしたので、気液で熱交換する場合より伝熱係数が高くなり、かつ、熱交換器も小型のもので足りるようになり経済的である。また、発電装置の蒸発器での蒸発用熱源としても十分利用できるようになる。作動媒体の蒸発器の熱源とする場合、ガスと熱交換する場合には、たとえば蒸発缶付き熱交換器を使用する必要があったが、熱回収媒体を使用する場合にはたとえば伝熱係数の点で高性能なプレート式熱交換器を使用でき、熱交換器に小型化及びコスト低減に大きい利点をもたらす。
【０００９】
〔請求項２記載の発明〕
請求項２記載の発明は、前記背圧手段としてベンチュリースクラバーを使用する請求項１に記載の廃棄物の燃焼発電方法である。
【００１０】
（作用効果）
前記背圧手段としてベンチュリースクラバーを採用することにより、背圧手段と燃焼ガスの大気放出に必要な除塵工程を兼ね備えることができ、設備コストの低減に寄与する。
【００１１】
〔請求項３記載の発明〕
請求項３記載の発明は、前記燃焼炉と前記向流式熱回収塔との間で湿ガスの除塵を行う請求項１または２に記載の廃棄物の燃焼発電方法である。
【００１２】
（作用効果）
前記除塵を行うことで、排ガス中の塵埃成分による熱回収媒体の汚染を抑えることができ、その結果、熱回収媒体中に移行した塵埃成分がスケールとして発電装置の熱交換器の伝熱面に付着し伝熱係数が低下することを防止する。
【００１３】
〔請求項４記載の発明〕
請求項４記載の発明は、廃棄物を燃焼させる燃焼炉と、前記燃焼炉の燃焼ガスを冷却溶解液を収容した冷却槽内に噴出させ、燃焼ガスと冷却溶解液を直接接触させ湿ガスを発生させる湿ガス発生手段と、下方に前記湿ガスの入口を、上方に熱回収媒体の入口を有し、湿ガスと前記熱回収媒体が向流で接触する向流式熱回収塔と、向流式熱回収塔の後段に設けられた背圧手段と、作動媒体を用いた発電設備とを備え、前記発電設備に前記加熱された熱回収媒体を供給して、その発電設備を駆動するようにしたことを特徴とする廃棄物の燃焼発電設備である。
【００１４】
（作用効果）
請求項１と同様の作用効果を奏する。
【００１５】
〔請求項５記載の発明〕
請求項５記載の発明は、前記背圧手段がベンチュリースクラバーである請求項４に記載の廃棄物の燃焼発電設備である。
【００１６】
（作用効果）
請求項２と同様の作用効果を奏する。
【００１７】
〔請求項６記載の発明〕
請求項６記載の発明は、前記燃焼炉と前記向流式熱回収塔との間で湿ガスの除塵手段を有する請求項４または５に記載の廃棄物の燃焼発電設備である。
【００１８】
（作用効果）
請求項３と同様の作用効果を奏する。
【発明の効果】
【００１９】
本発明によれば、廃液燃焼の際に発生する熱量を有効に電力発生に利用して、省エネルギーを十分に達成できる高い廃液の燃焼方法及びその燃焼設備を提供することができる。特に、熱交換効率が高く、設備的に有利なシステムとなり、また、除塵設備の負担が小さくなるなどの利点がもたらされる。
【図面の簡単な説明】
【００２０】
【図１】本発明に係る廃棄物の燃焼設備の実施形態の概要図である。
【図２】本発明に係る廃棄物の燃焼設備の実施形態の他の例の概要図である。
【発明を実施するための形態】
【００２１】
（廃棄物の燃焼装置の基本的構成）
図１は、本発明の廃液の燃焼装置の実施形態例を示すものである。
燃焼炉１は縦型円筒状をなし、その頂部中央には助燃バーナー（たとえばボルテックスバーナー）２が設けられていて、この助燃バーナー２からは灯油等の補助燃料Ｆが燃焼用空気（図示せず）と共に下向きに燃焼炉１内に噴射されて燃焼させられるとともに、この助燃バーナー２の周りの燃焼炉１の肩部には、廃液Ｗを燃焼炉１内に噴霧する複数（ただし、図１には１つしか描かれていない）のノズル３…が周方向に等間隔に、かつ円筒状をなす燃焼炉１の中心線に向けて斜め下向きに設けられている。  これらのノズル３…から燃焼炉１内に噴霧された廃液Ｗが、上記助燃バーナー２の補助燃料Ｆの燃焼によって燃焼させられる。
【００２２】
また、この燃焼によって生じた燃焼ガスは、燃焼炉１の下部に移行し、燃焼炉１のダウンカマー１Ａを通って、冷却溶解液ＣＷを収容した溶解冷却槽４中に噴出され、燃焼ガスと冷却溶解液ＣＷとの直接接触が図られる。かかる激しい気液の混相流は、集塵機能及び撹拌機能を発揮し、排ガスに同伴されたダスト成分及び溶融流下した塩類の大部分が捕捉され、溶解され、冷却溶解液ＣＷ、アルカリ液のオーバーフロー４Ｂとして装置外へ排出され、適宜の処理を受ける。なお、本事例では冷却溶解液として、水を採用した。ただし、水に限ることなく、一般的に用いられている冷却液（水溶液など）なども用いることができる。
【００２３】
溶解液と分離した燃焼ガス（いわゆる湿ガスＧ）は、後に説明するように、発電装置の加熱源として利用される。
【００２４】
他方、有機媒体などを作動媒体とする発電設備１０が設けられている。発電設備１０は、蒸発器１２と、望ましくはさらに予熱器１１と、膨張タービン１４及び発電機１５と、凝縮器１６と、昇圧ポンプ１７とがこの順で作動媒体の循環系が構成されている。
【００２５】
さらに、膨張タービン１４と凝縮器１６との間と、昇圧ポンプ１７と予熱器１１との間と、で熱交換する熱交換器１８が設けられていることができる。
【００２６】
一方、前記燃焼ガスを前記冷却溶解液ＣＷと直接接触を図った後の湿ガスＧは、第１の除塵装置２１にて除塵される。第１の除塵装置２１としては、第２の除塵装置２２と同じくベンチュリースクラバーや、図１に示す慣性集塵方式であるミストセパレータ形式のものを採用できる。第１の除塵装置２１の底部の液はポンプ２３により噴霧液として循環される。
【００２７】
一次の除塵が行われた湿ガスＧは、向流式熱回収塔３０の下部から吹き込まれる。向流式熱回収塔３０は、上下に２段の上部及び下部向流接触部を有している。それぞれ適宜の充填材を使用した上部向流接触部３２及び下部向流接触部３１は区画され、下部向流接触部３１の上方からは、ポンプ８により蒸発器１２を通った後の熱回収媒体が管路４１を通して散水器３３により散水されるようになっている。
【００２８】
上部向流接触部３２の上方からは、ポンプ４２により予熱器１１を通った後の熱回収媒体が管路４３を通して散水器３４により供給されるようになっている。上部向流接触部３２から流下する接触済液は、たとえばキャップを有する棚段３５から抜き出され、ポンプ４２及び管路４３により循環するようにしてある。向流式熱回収塔３０の最上部にはエリミネータ３６が設けられている。
【００２９】
ここで熱回収媒体とは、熱回収ができればよく、たとえば、水の他に、燃焼排ガス中の硫酸ガスの吸収に用いる水酸化マグネシウムスラリー液や、同じく燃焼排ガス中の炭酸ガスの吸収に用いるアミン液などを用いることもできる。これらの場合、熱回収塔３０はそれぞれ、排ガス脱硫塔、排ガス脱炭酸塔として機能することになる。
【００３０】
こうして向流式熱回収塔３０内で、湿ガスＧと熱回収媒体を向流で接触させ、下部に流下した熱回収媒体は、ポンプ４４により抜き出され、管路４５を通して蒸発器１２に送られ、作動媒体との熱交換後は管路４６を通して、ポンプ８により、管路４１を通して散水器３３に向けられる。
【００３１】
また、向流式熱回収塔３０からの排ガスＧは、たとえばベンチュリースクラバー形式の第２の除塵装置２２に送られる。第２の除塵装置２２は、水槽２２Ｃ内にベンチュリー管２２Ｂが連なるもので、液はポンプ２２Ｃにより循環され、塵埃は水側に移行され、清浄化されたガスは、煙突５０などにより大気へ放出される。第２の除塵装置２２としてベンチュリースクラバーを使用すると、そのベンチュリースクラバーが向流式熱回収塔３０に対する背圧手段を構成し、湿ガスを凝縮させ向流式熱回収塔３０において効率よく熱交換を行うことができる。したがって、ベンチュリースクラバーは背圧手段と除塵装置を兼ねているものである。ベンチュリースクラバーに換えて、エジェクター型集塵装置などの使用できる。
【００３２】
（発電について）
発電装置の作動媒体としては、有機媒体を好適に使用できる例でき、この有機媒体としは、たとえば次記のものを例示できる。
（１）ＨＦＣ（ハイドロフルオロカーボン）系冷媒：Ｒ２３、Ｒ３２、Ｒ１２５、Ｒ１３４ａ、Ｒ１４３ａ、Ｒ１５２ａ、Ｒ２２７ｅａ、Ｒ２４５ｆａ
（２）ＰＦＣ（パーフルオロカーボン）系冷媒：Ｒ２１８
（３）自然冷媒：Ｒ２９０（プロパン）、Ｒ６００（ブタン）、Ｒ６００ａ（イソブタン）
発電設備１０のおける作動媒体は、熱水により、予熱器１１及び蒸発器１２により加熱され、高温ベーパーとして膨張タービン１４に投入され、発電機１５を駆動する。膨張タービン１４の排気は、凝縮器１６において凝縮され、昇圧ポンプ１７により予熱器１１へと送給される。その際に、熱交換器１８において、熱交換が図られ、膨張タービン１４の排気３１の温度の低下が行われ、膨張タービン１４の効率を高め、凝縮器１６の負荷を下げるようにしてある。
【００３３】
（他の例）
本発明の廃棄物の燃焼炉としては、図１に示す形式のものに限定されず、
他の実施形態として、図２に示されるように、外壁５が二重壁のジャケット構造である燃焼炉１で使用される炉壁冷却液を有効活用する形態が挙げられる。燃焼炉１の内壁部分５Ａには耐火材よりなる内張りが設けられ、また、燃焼炉１の下部から上部に至る冷却流路として使用される空間５Ｂが形成されており、この空間５Ｂには燃焼炉１の外部に備えられたポンプ９により冷却液Ｃを供給するようにしてある。この実施例では、冷却液Ｃによる路壁の冷却により、内壁部分の耐火物の浸食が抑制しつつ、燃焼炉１を冷却した後の加熱された冷却液Ｃの持つ熱を発電設備の作動媒体の加熱に利用するものである。なお、冷却液Ｃとしては、水、油などの液体を用いることができる。
【００３４】
空間５Ｂで加熱された冷却液（加熱液）Ｃは、管路４９を通して加熱器１３に供給され、発電設備の作動媒体の熱交換が行われる。加熱器１３から排出された冷却液は、ポンプ９により管部４７を通して、外壁５の二重壁のジャケット空間５Ｂ内に再び供給される。ここで、加熱器１３は、予熱器１１、蒸発器１２の下流に配置することがより好ましい。ジャケット空間５Ｂから得られる加熱液は、向流式熱回収塔３０から得られる熱回収媒体よりも温度が高いため、その熱を蒸発器１２よりも下流に配した加熱器１３に供給することでより効率よく発電設備の作動媒体を加熱することができるためである。
【００３５】
なお、更に別の形態として、空間５Ｂで加熱された冷却液Ｃを、向流式熱回収塔３０から得られた熱回収媒体とともに蒸発器１２に供給することもできる。具体的には、向流式回収３０の下部から排出される熱回収媒体と混合することが好ましく、管路４５に冷却液Ｃを供給する構成をとることができる。ただし、この場合、前記向流式熱回収塔３０における熱回収媒体は排ガス由来の粉塵などが含まれることがあり、これら粉塵がジャケット空間５Ｂに供給されないよう管路４９や、管路４７に除塵手段等を設ける必要がある。
【００３６】
さらに、他の例として、水平に設置された筒型燃焼炉に接線方向に燃焼ガスが旋回するようにし、排ガスを同様に冷却槽（ディゾルバー）に送り込む形式のもの、また、縦型の流動層燃焼炉の排ガスをサイクロンで粗い固形分を分離した後の排ガスを、同様に冷却槽（ディゾルバー）に送り込む形式のものなどを挙げることができる。
【実施例】
【００３７】
（実施例１）
図１の形態による例である。発電装置の作動媒体としては、Ｒ２４５ｆａを用いた。スチレンモノマー製造装置からの廃液６０００ｋｇ／ｈ（発熱量４２００ｋＪ／ｋｇ）と助燃油３００ｋｇ／ｈ（発熱量４００００ｋＪ／ｋｇ）を、操作圧力０．１２５ＭＰａの焼却炉に、助燃空気１０３００ｍ3／ｈとともに供給し、約９５０℃で燃焼させた。燃焼廃ガスはディゾルバー４を通過させると同時に急速冷却した。次いで、排ガスを低圧除塵器２１で気液比１０で洗浄した後、二段の向流式熱回収塔３０の下部に供給した。炉壁冷却その後、流体Ｓ１〜Ｓ１１の温度、圧力、流量が表１に示すような値となるように運転を行った。その結果、２９５ｋＷの電力を発電機１５の発電端にて発生させた。予熱器１１及び蒸発器１２に供給された入熱と、発電端における発電量を比較した場合の熱効率としては７．３％であり、十分に高いことを確認できた。
【００３８】
【表１】
2010210233.tif 000003
【符号の説明】
【００３９】
Ｇ…湿ガス、１…燃焼炉、４…溶解冷却槽（ディゾルバー）、１０…発電装置、１１…予熱器、１２…蒸発器、１４…膨張タービン、１５…発電機、１６…凝縮器、１８…熱交換器、２１…第１の除塵装置、２２…第２の除塵装置、３０…向流式熱回収塔、３１…下部向流接触部、３２…上部向流接触部。
【図１】
2010210233.tif 000004
【図２】
2010210233.tif 000005